【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  メディアセッションについてのメディア流接続を管理する方法であって、
メディアセッションのセッション記述を受領する段階と、
該セッション記述の各メディア流を処理するために適切なメディア応用プログラムを判断するため該セッション記述を解析する段階と、を備え、
該セッション記述はサービス質ポリシイに関係するデータを含み、
メディアセッションにおける関与は該データに基づくサービス質ポリシイを用いて見込みあるものかどうかを利用可能な資源に基づいて判断する段階と、
該セッション記述内で識別されたいくつかのメディア流を選択する段階と、
各選択したメディア流をいくつかのそれぞれのメディア応用プログラムへ、各メディア応用プログラムについてのメディア流接続を管理するために構成されたセッション制御を利用して、接続する段階と、をさらに備えることを特徴とする方法。
【請求項２】  前記各メディア流の選択は所定の規準に従いセッション制御により実行される請求項１記載の方法。
【請求項３】  前記所定の規準は、エンドユーザ、端末、及び各メディア応用プログラムから成る群の少くとも一つの好みに特有なものである請求項２記載の方法。
【請求項４】  前記メディア応用は前記セッション記述で識別されたいくつかのメディア流を選択し、これらメディア流は求められたものでありかつそれぞれの接続要求を前記セッション制御に向けて送る請求項１ないし３のいずれか１項記載の方法。
【請求項５】  さらに少くとも前記セッション記述の一部を各メディア応用に向けて送る段階を備えた請求項１ないし４のいずれか１項記載の方法。
【請求項６】  前記メディア応用は、前記セッション制御により使用するための接続要求についてのサービス品質（ＱｏＳ）ポリシイを生成もしくは修正する請求項５記載の方法。
【請求項７】  前記メディア応用は、前記セッション制御システムによる後の接続の制御のためのセッション記述を修正する請求項５または６記載の方法。
【請求項８】  前記セッション制御は、前記接続要求を端末通信マネージャに送り、そこでは該接続要求が存立可能であるかを判断して、後に接続を開始する請求項４ないし７のいずれか１項記載の方法。
【請求項９】  前記セッション制御は、前記メディア応用からの接続要求を該サービス品質（ＱｏＳ）ポリシイに従って優先順位を付けて一組の接続要求を作り、これを前記通信マネージャに向けて送る請求項８記載の方法。
【請求項１０】  前記通信マネージャは各接続要求について求められている資源を判断し、該要求が所与の利用可能な資源に適うことができるか判断する請求項８または９記載の方法。
【請求項１１】  前記接続要求が適うことができるとすると、接続が開始される請求項１０記載の方法。
【請求項１２】  接続要求が適うことができきないとすると、該接続要求は前記メディアセッションのオプションのメディア流についてのものとされ、前記通信マネージャは該接続要求が存立不能であると宣言することによって進行し、次の接続要求に移る請求項１０記載の方法。
【請求項１３】  接続要求が適うことができず、かつ該接続要求が前記メディアセッションの強制的なメディア流についてのものであるとすると、前記通信マネージャは該接続要求に適うように資源を空にするように試みることによって進行する請求項１０記載の方法。
【請求項１４】  前記通信マネージャが前記接続要求に適うように十分な資源を空にすることができないとすると、該接続要求は存立不能と宣言され、該通信マネージャは前記メディアセッションへの加入を拒否する請求項１３記載の方法。
【請求項１５】  さらに、セッション記述を解析する前に、セッション記述内でリンクに従ってセッション記述の欠けた部分を得る段階を備えている請求項１ないし１４のいずれか１項記載の方法。
【請求項１６】  メディアセッションについてのセッション記述から得られたメディア流接続を管理するためのシステムであって、
該セッション記述を解析してセッション記述の各メディア流を処理するための適切なメディア応用プログラムを判断するためのセッション制御を備え、
該システムは、メディアセッションにおける関与は前記セッション記述に用意されたサービス品質データに基づくサービス品質ポリシイを用いて見込みあるものかどうかを利用可能な資源に基づいて判断する通信マネージャをさらに備え、
該セッション制御は該応用プログラムについてメディア流接続を管理するように構成されていることを特徴とするシステム。
【請求項１７】  前記メディア応用プログラムは前記セッション記述内で識別されたいくつかの適切なメディア流を選択するようにされていて、
このメディア流は求められていたものであり、かつ前記セッション制御に向けて多数の接続要求を送る請求項１６記載のシステム。
【請求項１８】  前記セッション制御はセッション記述の少くとも一部を各メディア応用に向けて送るようにされている請求項１６または１７記載のシステム。
【請求項１９】  前記メディア要求は前記セッション制御により使用するための接続要求についてのサービス品質（ＱｏＳ）ポリシイを生成もしくは修正するようにされている請求項１８記載のシステム。
【請求項２０】  前記メディア応用は、セッション制御により接続の後の管理を変更するためにセッション記述を修正するようにされている請求項１８または１９記載のシステム。
【請求項２１】  前記通信マネージャは前記接続を開始するように構成されている請求項１６ないし２０のいずれか１項記載のシステム。
【請求項２２】  前記通信マネージャは、前記接続要求が存立可能かどうかを判断し、かつ後に該接続を開始するようにされている請求項２１記載のシステム。
【請求項２３】  前記セッション制御システムは、前記メディア応用からのいくつかのメディア流についての接続要求を該サービス品質（ＱｏＳ）ポリシイに従って優先順位を付け、前記通信マネージャに向けて送られる一組の接続要求を作るように適応されている請求項２１または２２記載のシステム。
【請求項２４】  前記通信マネージャはシーケンスとなった各接続要求について必要とされる資源を判断し、かつ該接続要求が所与の利用可能な資源に適うことができるかどうか判断するようにされている請求項２１ないし２３のいずれか１項記載のシステム。
【請求項２５】  前記通信マネージャは、前記接続要求が適うことができるとすると接続を開始するようにされている請求項２４記載のシステム。
【請求項２６】  前記通信マネージャは、前記接続要求が適うことができずかつ前記メディアセッションのオプションのメディア流についてのものであるとすると、接続要求存立不能を宣言して、次の接続要求に移動するようにされている請求項２４記載のシステム。
【請求項２７】  前記通信マネージャは、前記接続要求が適うことができずかつ前記メディアセッションの強制メディア流についてものであるとすると、接続要求に適うように資源を空にするように試みるようにされている請求項２４記載のシステム。
【請求項２８】  前記通信マネージャは、前記接続要求が適うために十分な資源を空にすることができないとすると、接続要求存立不能を宣言し、それによって前記メディアセッションの加入を拒否するようにされている請求項２７記載のシステム。
【請求項２９】  さらにアナウンスメントインターフェースを備え、これが受領したセッション記述内で欠けたモジュールを検出するようにし、後に該セッション記述内に用意された位置識別用リンクを用いてそれらを得るようにされている請求項１６ないし２８のいずれか１項記載のシステム。
【請求項３０】  請求項１ないし１５のいずれか１項記載の方法を実行するための実行可能な命令を含んでいる計算機が読取り可能な記憶媒体。
【請求項３１】  請求項１ないし１５のいずれか１項記載の方法を実行するための実行可能な命令を含んでいる少くとも一つのメモリを備えている端末。